(57)【要約】【課題】遊技盤の左右幅を抑えつつ遊技領域の拡大化に対応でき、しかも遊技盤の製作コストを低減できるようにする。【解決手段】遊技盤１０の前面に、発射手段１１により発射された遊技球を遊技領域２７へと案内するガイドレール５３を備える。ガイドレール５３の外レール６４は遊技盤１０の側縁から張り出す張り出し部６６を有し、この張り出し部６６を裏側から保護する保護部材６８を遊技盤１０に設ける。保護部材６８は遊技盤１０の裏側に装着された裏部材４９に設けてもよい。【選択図】図５
2014226309.tif 000002
【特許請求の範囲】
【請求項１】
遊技盤の前面に、発射手段により発射された遊技球を遊技領域へと案内するガイドレールを備えた弾球遊技機において、
前記ガイドレールの外レールは遊技盤の側縁から張り出す張り出し部を有し、
該張り出し部を裏側から保護する保護部材を前記遊技盤に設けた
ことを特徴とする弾球遊技機。
【請求項２】
前記遊技盤の裏側に装着された裏部材を備え、
該裏部材に前記保護部材を設けた
ことを特徴とする請求項１に記載の弾球遊技機。
【請求項３】
前記裏部材は前記遊技盤を外周から取り囲む周壁部を有し、
該周壁部に前記保護部材を設けた
ことを特徴とする請求項２に記載の弾球遊技機。
【請求項４】
前記保護部材を前記裏部材に着脱自在に備えた
ことを特徴とする請求項２又は３に記載の弾球遊技機。
【請求項５】
前記保護部材は前記遊技盤の前面と共に球案内通路を形成する球案内面を備えた
ことを特徴とする請求項１〜４の何れかに記載の弾球遊技機。
【請求項６】
前記球案内面は前記遊技盤の前面と略面一状である
ことを特徴とする請求項５に記載の弾球遊技機。
【発明の詳細な説明】
【技術分野】
【０００１】
本発明は、発射手段により発射された遊技球をガイドレールを経て遊技盤の遊技領域へと打ち込むようにしたパチンコ機等の弾球遊技機に関するものである。
【背景技術】
【０００２】
パチンコ機等の弾球遊技機は、前枠の遊技盤装着部に遊技盤を、遊技盤装着部の下側の支持板に発射手段を夫々備え、発射手段により発射された遊技球を遊技盤の前面のガイドレールを経て遊技領域の上部側へと打ち込み、その遊技球を遊技領域の上部から順次落下させながら遊技を行うようになっている。
【０００３】
遊技盤はベニヤ板、アクリル板等の略矩形状の遊技盤本体が使用されているが、前枠には遊技盤装着部の上下、左右の各隅部にヒンジ、補強構造、構成部材等があるため、遊技盤の各隅部には、そのヒンジ、補強構造、構成部材等に対応する切り欠き部が形成されている（特許文献１〜３）。
【先行技術文献】
【特許文献】
【０００４】
【特許文献１】特開２００６−４２８８６号公報
【特許文献２】特開２０１３−３９２７３号公報
【特許文献３】特開２０１３−５９４７６号公報
【発明の概要】
【発明が解決しようとする課題】
【０００５】
この種の遊技盤を製造する場合には、ベニヤ板、アクリル板等の略矩形状の板材を使用して、ルータ等の加工機械により、遊技領域に対応する部分に画像表示手段、入賞手段等に対応する装着孔を、上下、左右の隅部に切り欠き部を夫々加工する方法が採用されている。一方、近年は遊技領域の拡大化に伴い、遊技盤の左右幅が大きくなる傾向になる。
【０００６】
従って、遊技盤の製造に際しては、遊技領域が拡大した分だけ左右幅の広い板材を準備する必要があり、しかもその板材の上下、左右の隅部の切り欠き部の加工量も増加することとなり、遊技盤の製作コストの高騰を招くという問題がある。またアクリル等の合成樹脂材料により金型成型した遊技盤もあるが、このような遊技盤の場合にも、合成樹脂材料の使用量が増加して遊技盤の製作コストの高騰を招く要因となっている。
【０００７】
本発明は、このような従来の問題点に鑑み、遊技盤の左右幅を抑えつつ遊技領域の拡大化に対応でき、しかも遊技盤の製作コストを低減できる弾球遊技機を提供することを目的とする。
【課題を解決するための手段】
【０００８】
本発明は、遊技盤の前面に、発射手段により発射された遊技球を遊技領域へと案内するガイドレールを備えた弾球遊技機において、前記ガイドレールの外レールは遊技盤の側縁から張り出す張り出し部を有し、該張り出し部を裏側から保護する保護部材を前記遊技盤に設けたものである。
【０００９】
前記遊技盤の裏側に装着された裏部材を備え、該裏部材に前記保護部材を設けたものでもよい。前記裏部材は前記遊技盤を外周から取り囲む周壁部を有し、該周壁部に前記保護部材を設けたものでもよい。
【００１０】
前記保護部材を前記裏部材に着脱自在に備えたものでもよい。前記保護部材は前記遊技盤の前面と共に球案内通路を形成する球案内面を備えたものでもよい。前記球案内面は前記遊技盤の前面と略面一状であってもよい。
【発明の効果】
【００１１】
本発明によれば、遊技盤の左右幅を抑えつつ遊技領域の拡大化に対応でき、しかも遊技盤の製作コストを低減できる利点がある。
【図面の簡単な説明】
【００１２】
【図１】本発明の第１の実施形態を示すパチンコ機の前側斜視図である。
【図２】同パチンコ機の遊技盤を取り外した状態の後側斜視図である。
【図３】同パチンコ機の前枠及び遊技盤の正面図である。
【図４】同要部の正面図である。
【図５】同要部の破断斜視図である。
【図６】同要部の平面断面図である。
【図７】同要部の平面断面図である。
【図８】本発明の第２の実施形態を示す要部の正面図である。
【図９】本発明の第３の実施形態を示す要部の正面図である。
【図１０】同要部の平面断面図である。
【図１１】本発明の第４の実施形態を示す要部の正面図である。
【図１２】同要部の平面断面図である。
【図１３】本発明の第５の実施形態を示す要部の正面図である。
【図１４】同要部の平面断面図である。
【図１５】本発明の第６の実施形態を示す要部の平面断面図である。
【図１６】同要部の破断斜視図である。
【図１７】本発明の第７の実施形態を示す要部の破断斜視図である。
【図１８】同要部の平面断面図である。
【図１９】同要部の正面断面図である。
【図２０】本発明の第８の実施形態を示す要部の破断斜視図である。
【図２１】同要部の正面断面図である。
【図２２】本発明の第９の実施形態を示す要部の破断斜視図である。
【図２３】同要部の平面断面図である。
【図２４】本発明の第１０の実施形態を示す要部の破断斜視図である。
【図２５】同要部の平面断面図である。
【図２６】同要部の平面断面図である。
【発明を実施するための形態】
【００１３】
以下、本発明の実施形態を図面に基づいて詳述する。図１〜図７は本発明をパチンコ機１に採用した第１の実施形態を例示している。パチンコ機１は、図１〜図３に示すように、矩形状の外枠２と、この外枠２の前側に縦方向のヒンジ３廻りに開閉自在に枢着された前枠４とを備えている。
【００１４】
前枠４は図４〜図７に示すように、外枠２の前側に当接する前枠部５と、この前枠部５の内周側から外枠２の内側へと屈曲する内枠部６とを有し、その内枠部６内に遊技盤装着部７と支持板８とを上下に備え、遊技盤装着部７の上部には効果音用の上部スピーカ９が左右両側に配置されている。遊技盤装着部７には遊技盤１０が着脱自在に装着され、支持板８には遊技盤１０へと遊技球を発射するための発射手段１１と、効果音用の下部スピーカ１２とが装着されている。
【００１５】
更に前枠４は遊技盤装着部７内の遊技盤１０の前側に配置されたガラス扉１３と、支持板８の前側に配置された前面扉１４とを上下に備え、そのガラス扉１３及び前面扉１４が前枠４に縦方向のヒンジ１５，１６廻りに開閉自在に枢支されている。
【００１６】
また前枠４のヒンジ３，１５，１６と反対側には施錠手段１７が設けられ、この施錠手段１７により、前枠４を外枠２に対して、ガラス扉１３及び前面扉１４を前枠４に対して夫々閉状態で施錠するようになっている。なお、施錠手段１７はキー操作式の操作手段１８を有する。ガラス扉１３用の下側のヒンジ１５と、前面扉１４用の上側のヒンジ１６は共通のヒンジ支持機構１９に設けられている。
【００１７】
遊技盤装着部７は遊技盤１０が前側から挿入可能な矩形枠状であって、図２、図６、図７に示すように、支持板８の上側に形成され且つ遊技盤１０を下側から受ける受け部２１と、遊技盤１０の裏面が当接する当接部２２と、ヒンジ３側の内枠部６の内側に設けられた上下一対の係合部２３と、ヒンジ３と反対側に設けられた上下一対のロック手段２０とを有する。この遊技盤装着部７の上下、左右の四隅には、上部スピーカ９、ヒンジ支持機構１９、操作手段１８等の各構成部材が遊技盤装着部７側に突出するように配置されている。
【００１８】
遊技盤１０を遊技盤装着部７に装着する際には、遊技盤１０の一端側を受け部２１上で当接部２２と係合部２３との間に挿入し、係合部２３側を支点として遊技盤１０の他端側を遊技盤装着部７内に押し込んだ後、ロック手段２０により締め付けて当接部２２に当接した状態で遊技盤１０を遊技盤装着部７内に固定するようになっている。
【００１９】
ガラス扉１３は窓孔２６を有する扉枠２４と、この扉枠２４の裏側に着脱自在に装着されたガラスユニット２５とを備え、窓孔２６側からガラスユニット２５を介して遊技盤１０の前面の遊技領域２７を前側から視認できるようになっている。扉枠２４の上部には前枠４の上部スピーカ９に対応して小孔状の上部音出口２８が設けられている。
【００２０】
前面扉１４の前側には、発射用の遊技球を貯留する貯留皿２９と、この貯留皿２９の左右方向の一側方に配置された発射手段１１用の発射ハンドル３０と、発射ハンドル３０の周辺に下部スピーカ１２に対応して形成された小孔状の下部音出口３１とが設けられている。貯留皿２９の前側にはチャンスボタン３２が配置されている。
【００２１】
発射手段１１は、図３に示すように、支持板８の前面に装着された発射板３５と、この発射板３５に固定された発射レール３６と、前後方向の駆動軸３７廻りに回転して発射レール３６上の遊技球を遊技盤１０側へと打撃する打撃槌３８と、発射板３５の裏側に装着された打撃槌３８用の駆動手段３９とを備え、遊技者が発射ハンドル３０を把持して回動操作したときに、駆動手段３９の駆動により作動して、貯留皿２９から発射レール３６上に１個ずつ供給される遊技球を遊技盤１０側へと発射させるようになっている。
【００２２】
扉枠２４は金属板その他の補強板４０と、この補強板４０を前側から覆う化粧カバー４１等を備えた矩形状であり、その内周側が遊技盤１０の遊技領域２７に対応する窓孔２６となっている。ガラス板ユニット２５は前後二枚のガラス板４２と、このガラス板４２の外周を保持する保持枠４３とを備え、扉枠２４の内側のガラス板４２を介して遊技盤１０の遊技領域２７を視認可能である。
【００２３】
遊技盤１０は略矩形状の板材により構成されており、上下、左右の四隅には遊技盤装着部７内に突出する上部スピーカ９、ヒンジ支持機構１９、操作手段１８等の構成部材と干渉しないように切り欠き部４４〜４６が夫々形成されている。また遊技盤１０にはロック手段２０に対応する切り欠き部４７が形成されている。
【００２４】
遊技盤１０には光透過性を有するアクリル板等の透明板により構成された透明遊技盤が使用されている。この遊技盤１０は、図５〜図７に示すように、ベニヤ板等を使用した不透明式に比較して板厚が薄くなっており、その裏側外周部に補強用の裏部材４９が積層状に固定されている。
【００２５】
遊技盤１０と裏部材４９との積層厚さは、ベニヤ板等を使用した不透明式の遊技盤１０の厚さ、及び前枠４の遊技盤装着部７の装着深さと略一致している。そして、遊技盤１０は遊技盤装着部７内でその積層部分に対応して配置されたロック手段２０により着脱自在にロックされている。
【００２６】
裏部材４９は、図４〜図６に示すように、補強リブ等の補強構造部５０を介して遊技盤１０の裏面に当接する後壁部５１と、後壁部５１の外周から前側に屈曲して遊技盤１０を外周から保護する周壁部５２とを有する。
【００２７】
遊技盤１０の前面側には、図３に示すように、ガラス扉１３の窓孔２６を経て前側から視認可能な遊技領域２７が前面側に設けられると共に、遊技領域２７の外周側を取り囲むガイドレール５３、前飾り部材５４、区画部材５５等が環状に装着されている。また遊技盤１０の遊技領域２７内には画像表示手段５６、普通図柄始動手段５７、特別図柄始動手段５８、可変入賞手段５９、普通入賞手段６０等が配置されている。
【００２８】
ガイドレール５３は発射手段１１により遊技盤１０側に発射された遊技球を遊技領域２７の上部側へと案内するためのもので、図４〜図６に示すように、円弧状に形成された球案内通路６２の内外に配置された内レール６３及び外レール６４を備えている。
【００２９】
内レール６３及び外レール６４はステンレス製の帯板等により構成され、その内レール６３は球案内通路６２の入口側と遊技領域２７の左上部側との間に、外レール６４は入口側と遊技領域２７の右上部側の球止め部６５の手前側近傍との間に夫々円弧状に設けられている。
【００３０】
外レール６４には、遊技盤１０の側縁から外側に張り出す張り出し部６６が遊技盤１０の上下方向の略中央部分に設けられている。遊技盤１０のヒンジ３側の側縁６７は内レール６３と外レール６４との中間位置にあり、この中間位置を通るように上下の切り欠き部４４，４６間で略真っ直ぐに形成されている。外レール６４は張り出し部６６が遊技盤１０の側縁６７から外側に円弧状に突出しており、その張り出し部６６が裏側から保護部材６８により保護されている。
【００３１】
保護部材６８は裏部材４９の周壁部５２の前端から外側へと一体に屈曲する支持部６９を有し、この支持部６９により外レール６４の張り出し部６６を裏側から支持し保護するようになっている。支持部６９の前面は遊技盤１０の前面と略面一状の球案内面６９ａを有し、外レール６４の張り出し部６６側で球案内通路６２の一部を形成し、外レール６４に沿って球案内通路６２を通過する遊技球を案内するようになっている。なお、球案内面６９ａは張り出し部６６側の球案内通路６２の全てを構成してもよい。
【００３２】
支持部６９の前面には、外レール６４の張り出し部６６の内外方向への移動を規制する規制手段７０が設けられている。規制手段７０は張り出し部６６に沿って円弧状に形成され且つ張り出し部６６の内面が外側から当接する規制突部７１を有し、この規制突部７１により張り出し部６６の内側への移動を規制している。なお、規制突部７１の突出高さは外レール６４に案内される遊技球と干渉しない程度である。保護部材６８と周壁部５２との間には周方向に複数個の補強リブ７２が設けられている。
【００３３】
前枠４の内枠部６には、外レール６４の張り出し部６６及び保護部材６８と干渉しないように外側へと膨らむ膨らみ部７３が側壁に形成され、この膨らみ部７３の内側に外レール６４の張り出し部６６及び保護部材６８が配置されている。また外枠２の縦枠部７４にも、前枠４の膨らみ部７３と干渉しないように切り欠き部７５が形成されている。
【００３４】
画像表示手段５６は演出図柄等の演出画像を適宜表示するためのものであって、図２、図３に示すように、表示窓７６が形成され且つ遊技盤１０の前面に装着された前飾り体７７と、前飾り体７７の表示窓７６に対応して遊技盤１０の裏側に配置された液晶パネル等の画像表示部７８とを備えている。画像表示部７８は遊技盤１０の裏側の裏部材４９に固定された裏構造体７９に装着されている。
【００３５】
前飾り体７７は遊技領域２７を落下する遊技球が画像表示部７８側に進入しないように遊技盤１０の前面から前側に突出しており、その前側上部等の適当箇所に普通図柄表示手段８１、特別図柄表示手段８２が配置されている。
【００３６】
普通図柄始動手段５７は遊技球が通過可能なゲート式であって、前飾り体７７の左側で遊技盤１０に装着され、この普通図柄始動手段５７が遊技球を検出することを契機に普通図柄表示手段８１の普通図柄（遊技図柄）が所定時間変動するようになっている。
【００３７】
特別図柄始動手段５８は前飾り体７７の下側で遊技盤１０の前面に装着されており、遊技球が入賞可能な開放型始動入賞口８３と、前後軸廻りに開閉可能な開閉部材８５を有する開閉型始動入賞口８４とを上下に備え、その何れかの始動入賞口８３，８４に遊技球が入賞することを契機に特別図柄表示手段８２の特別図柄が所定時間変動するようになっている。
【００３８】
開閉型始動入賞口８４は普通図柄表示手段８１の変動後の停止図柄が特定態様となって普通利益状態が発生したときに、開閉部材８５が所定時間開状態に変化して遊技球が入賞可能な状態となる。
【００３９】
可変入賞手段５９は特別図柄始動手段５８の下側に配置されており、横軸廻りに開閉する開閉部材８６と、この開閉部材８６によって遊技球が入賞可能な開状態と入賞不可能な閉状態とに切り換え可能な可変入賞口８７とを備えている。可変入賞口８７は特別図柄表示手段８２の変動後の停止図柄が特別態様となって特別利益状態が発生したときに、開閉部材８６が所定の開放パターンに従って前側に開放して、その上に落下した遊技球を内部へと入賞させるようになっている。
【００４０】
開閉部材８６による可変入賞口８７の開放パターンには、可変入賞口８７を０．２秒開放する動作を２ラウンド行う開放パターンと、可変入賞口８７を開放してから所定時間（例えば２８秒）経過するかそれまでに所定個数（例えば９個）の遊技球が入賞することを条件に閉鎖する動作を１５ラウンド行う開放パターンとの２種類設けられている。なお、開放パターンは２種類に限定されるものではなく、１種類でもよいし、３種類以上の多種類でもよい。
【００４１】
普通図柄表示手段８１は例えば「○」「×」の２種類の普通図柄に対応する特定の２個の発光部により構成されている。そして、この普通図柄表示手段８１は、普通図柄始動手段５７の遊技球の検出を条件に２つの発光部が所定時間交互に点滅して、普通図柄始動手段５７の遊技球の検出時に抽選された遊技態様が特定遊技の場合には特定態様の「○」側の発光部が発光した状態で、それ以外の場合には非特定態様の「×」側の発光部が発光した状態で、その点滅を終了するようになっている。
【００４２】
特別図柄表示手段８２は、始動入賞口８３，８４の何れかの遊技球の検出を条件に発光部により表示される特別図柄が所定時間変動して、始動入賞口８３，８４の遊技球の検出時に抽選された遊技態様が特別遊技態様の場合には所定の特別態様で、それ以外の場合には非特別態様で夫々停止するようになっている。
【００４３】
画像表示手段５６は１個又は複数個、例えば左右方向に３個の演出図柄８９ａ〜８９ｃを各種の演出画像と共に変動表示可能であり、特別図柄表示手段８２での特別図柄の変動開始と同時に所定の変動パターンに従って演出図柄８９ａ〜８９ｃが所定時間変動し、特別図柄の変動停止と同時に最終停止するように左、右、中等の所定の順序で停止するようになっている。なお、画像表示手段５６は、特別図柄の変動内容とは直接関係のない演出を行うことがあってもよい。
【００４４】
普通入賞手段６０は、例えば可変入賞手段５９の左側に内レール６３の内側に沿って３個配置され、右側に区画部材５５の区画壁の近傍に１個配置されている。
【００４５】
この種のパチンコ機１では、遊技に際しては発射ハンドル３０を把持して回動操作すると、発射手段１１の駆動手段３９が作動して、貯留皿２９から発射レール３６上に供給される遊技球を打撃槌３８により発射方向に打撃して発射させる。
【００４６】
発射された遊技球は遊技盤１０の入口側から球案内通路６２内に入り、外レール６４に沿って遊技領域２７の上部側へと案内された後、遊技領域２７内で遊技盤１０の前面を下方へと落下し、その間に可変入賞手段５９等に入賞するか、入賞せずに下端まで落下してアウト口から排出されて行く。
【００４７】
球案内通路６２内に入った遊技球は外レール６４に沿って案内される。外レール６４には遊技盤１０の側縁６７から外側に突出する張り出し部６６があるが、その張り出し部６６を裏側から保護する保護部材６８の支持部６９の前面が遊技盤１０の前面と略面一状であるため、外レール６４に沿って遊技球をスムーズに案内することができる。
【００４８】
このように遊技盤１０の側縁６７から外側に突出する張り出し部６６を外レール６４に設け、その張り出し部６６を裏側から保護部材６８で保護する構造を採用することにより、遊技盤１０の左右幅を小さくすることができ、遊技盤１０の製作コストを低減することができる。
【００４９】
また遊技領域２７はガイドレール５３の内レール６３よりも内側にあるが、内レール６３が遊技盤１０の側縁６７に接近することとなり、遊技盤１０の左右幅を抑えながらもその左右幅を最大限に利用して遊技領域２７の拡大化を図ることができる。
【００５０】
外レール６４の張り出し部６６は保護部材６８の支持部６９により裏側から保護されているため、張り出し部６６が遊技盤１０から外側に突出するにも拘わらず、外レール６４の張り出し部６６の変形等の損傷を未然に防止することができる。
【００５１】
しかも、その保護部材６８を遊技盤１０の裏側の裏部材４９の周壁部５２に一体に構成することにより、保護部材６８を別途準備する場合に比較して、裏部材４９の成型時に一体に成型できるため、固定構造等が不要であり構造的にも簡素化できる利点がある。
【００５２】
更に遊技盤１０のヒンジ３側の側縁６７を内レール６３と外レール６４との中間位置に配置することにより、遊技盤１０の左右幅を最大限に利用して、内レール６３の内側に形成される遊技領域２７の拡大化を図ることができる。
【００５３】
保護部材６８の前面に規制突部７１を形成して、この規制突部７１により外レール６４の張り出し部６６の内側への移動を規制することにより、外レール６４の張り出し部６６の変形等を容易に防止することができる。
【００５４】
また外レール６４の張り出し部６６に対応して前枠４に膨らみ部７３を、この膨らみ部７３に対応して外枠２に切り欠き部７５を夫々形成することにより、前枠４を開閉する際にも、この前枠４と外枠２との干渉を容易に防止することができる。
【００５５】
図８は本発明の第２の実施形態を例示する。この実施形態の保護部材６８には、外レール６４の張り出し部６６の内側への移動を規制する複数個の規制突部７１が外レール６４の長手方向に所定間隔をおいて間欠的に配置されている。他の構成は第１の実施形態と同様である。
【００５６】
このように規制手段７０は外レール６４の張り出し部６６に対応して長手方向に複数個の規制突部７１を間欠的に備えたものでもよく、この複数個の規制突部７１により外レール６４の張り出し部６６の内側への移動を規制することができる。
【００５７】
なお、保護部材６８の規制突部７１の数は外レール６４の張り出し部６６の長さの大小により適宜決定すればよく、張り出し部６６の長さが比較的短い場合には、張り出し部６６の長手方向の略中央に１個の規制突部７１を配置する程度でもよい。
【００５８】
図９、図１０は本発明の第３の実施形態を例示する。この実施形態の保護部材６８には、外レール６４の張り出し部６６の内外両側に内規制突部７１と外規制突部９０とが設けられ、これらの内規制突部７１と外規制突部９０とによって外レール６４の張り出し部６６の移動を規制する規制手段７０が構成されている。外規制突部９０は外レール６４の長手方向に連続的に形成され、内規制突部７１は外レール６４の長手方向に間欠的に設けられている。他の構成は第１の実施形態と同様である。
【００５９】
このように外レール６４の張り出し部６６を内規制突部７１と外規制突部９０とにより内外両側から規制するようにしてもよい。内規制突部７１と外規制突部９０とを共に連続的に形成してもよいし、間欠的に形成してもよい。また外規制突部９０を間欠的に、内規制突部７１を連続的に夫々構成してもよい。
【００６０】
なお、外規制突部９０は、図１０に二点鎖線で示すように、外レール６４に沿って前側に突出する円弧板状に形成し、この外規制突部９０により外レール６４の張り出し部６６を外周側から保護するようにしてもよい。外規制突部９０の突出高さは、外レール６４の突出高さと略同程度が望ましいが、外レール６４の突出高さよりも高くするか、又は低くしてもよい。
【００６１】
図１１、図１２は本発明の第４の実施形態を例示する。この実施形態の保護部材６８は、張り出し部６６を支持する支持部６９が裏部材４９の周壁部５２に一体に形成されているが、支持部６９の前面は外レール６４に沿って移動する遊技球を案内する球案内面を構成しない構造になっている。外レール６４の張り出し部６６の張り出し量ａが遊技球の半径ｂ未満であり、外レール６４に沿って移動する遊技球が保護部材６８と接触しないようになっている。支持部６９の前面には規制突部７１の他に凹部９１が形成されている。他の構成は第１〜第３の実施形態と同様である。
【００６２】
このように外レール６４の張り出し部６６の張り出し量ａが遊技球の半径ｂ未満の場合には、外レール６４に沿って移動するときの遊技球は、外レール６４から遊技球の半径ｂ分離れた軌跡ｃ上で遊技盤１０の前面と接触することとなる。従って、遊技球が保護部材６８と接触することはないので、支持部６９の前面側に球案内面を形成する必要はない。そのため支持部６９の前面は遊技盤１０の前面と略面一状にしてもよいし、遊技球と接触しない範囲内で凹凸状に構成してもよい。
【００６３】
図１３、図１４は本発明の第５の実施形態を例示する。この実施形態の保護部材６８は、張り出し部６６の長手方向に所定の間隔をおいて複数個の支持部６９を有し、この支持部６９により張り出し部６６を裏側から支持し保護するようになっている。支持部６９は裏部材４９の周壁部５２から外側に突出して前後方向に形成されたリブ状であって、その前面に張り出し部６６の規制手段７０を構成する規制突部７１が設けられている。他の構成は第１〜第４の実施形態と同様である。
【００６４】
外レール６４の張り出し部６６の張り出し量ａが遊技球の半径ｂよりも小さい場合には、遊技球が保護部材６８と接触しないので、保護部材６８の支持部６９を張り出し部６６の長手方向に間隔をおいて複数個設けることも可能である。なお、支持部６９は張り出し部６６の中央に対応して１個でもよい。
【００６５】
図１５、図１６は本発明の第６の実施形態を例示する。この実施形態の保護部材６８は、裏部材４９とは別体に構成され、遊技盤１０と裏部材４９の周壁部５２との間に着脱自在に取り付けられている。
【００６６】
保護部材６８は外レール６４の張り出し部６６が前側から当接する支持部６９と、この支持部６９の遊技盤１０側の端縁から裏側に屈曲する板状の装着片９４とを有し、支持部６９の前面に規制手段７０を構成する規制突部７１が設けられている。
【００６７】
裏部材４９の周壁部５２には、外レール６４の装着片９４に対応して装着部９５が設けられ、この装着部９５と遊技盤１０との間に保護部材６８の装着片９４を挿入するようになっている。装着部９５は裏部材４９の周壁部５２から装着片９４の板厚分だけ外側に膨らむ膨らみ壁９６を有し、その膨らみ壁９６の前端に支持部６９の裏面が当接する切り欠き部９７が形成されている。他の構成は第１〜第５の実施形態と同様である。
【００６８】
このように裏部材４９の周壁部５２に装着部９５を形成して、この装着部９５と遊技盤１０との間に保護部材６８の装着片９４を挿入して取り付けるようにしてもよい。保護部材６８の支持部６９の前面には外レール６４が当接しており、また支持部６９の裏面が周壁部５２に形成された装着部９５の前面に当接しているので、装着片９４を装着部９５と遊技盤１０との間に挿入する程度でも、保護部材６８を固定することができる。勿論、保護部材６８は装着部９５にネジ等で固定するようにしてもよい。
【００６９】
図１７〜図１９は本発明の第７の実施形態を例示する。この実施形態の保護部材６８は、第５の実施形態と同様に裏部材４９とは別体であって、外レール６４の張り出し部６６に対応して設けられ且つ張り出し部６６が前側から当接する支持部６９と、この支持部６９の遊技盤１０側の端縁から内側に屈曲する板状の装着片９４とを有し、支持部６９の前面に規制手段７０を構成する規制突部７１が設けられている。
【００７０】
裏部材４９の周壁部５２の外側面には、外レール６４の装着片９４に対応して装着部９５が設けられている。装着部９５は装着片９４の両端部と中間部とに対応して配置された挿入受け部９８を備え、その挿入受け部９８と周壁部５２との間に保護部材６８の板状の装着片９４を挿入するようになっている。他の構成は第１〜第５の実施形態と同様である。
【００７１】
このように裏部材４９の周壁部５２の外側に挿入受け部９８を設けて装着部９５を構成し、その装着部９５の周壁部５２と挿入受け部９８との間に保護部材６８の装着片９４を挿脱自在に挿入するようにしてもよく、この場合には遊技盤１０と関係なく保護部材６８を裏部材４９に装着することができる。
【００７２】
なお、この実施形態では周壁部５２の外側面に所定の間隔をおいて複数個の挿入受け部９８を設けているが、この挿入受け部９８は一体でもよいし、中間の挿入受け部９８を省略してもよい。
【００７３】
図２０、図２１は本発明の第８の実施形態を例示する。この実施形態では、保護部材６８の装着片９４を遊技盤１０と裏部材４９の周壁部５２の装着部９５との間に挿入して係合手段９９を介して着脱自在に係止するようにしている。
【００７４】
保護部材６８は第５の実施形態と同様に裏部材４９とは別体であって、外レール６４の張り出し部６６に対応し且つ張り出し部６６が前側から当接する支持部６９と、この支持部６９の遊技盤１０側の端縁から内側に屈曲する板状の装着片９４とを有し、支持部６９の前面に規制手段７０を構成する規制突部７１が設けられている。
【００７５】
裏部材４９の周壁部５２には保護部材６８の装着片９４に対応する切り欠き部１００と、周壁部５２から切り欠き部１００の外側に突出する装着部９５とが設けられている。係合手段９９は装着部９５に設けられた係合凹部１０１と、装着片９４に設けられた係合突部１０２とにより構成され、装着片９４を周壁部５２の切り欠き部１００に挿入したときに、その係合突部１０２が装着部９５の係合凹部１０１に係脱自在に係合するようになっている。係合突部１０２は球面状である。他の構成は第１〜第６の実施形態と同様である。
【００７６】
このように係合手段９９を介して保護部材６８を裏部材４９の周壁部５２側に着脱自在に装着するようにしてもよい。また係合手段９９は突片状の装着部９５に係合凹部１０１を設けているので、その装着部９５によって適度の弾性を持たせることができ、装着片９４の係合突部１０２が弾性変形しない場合でも、保護部材６８を容易に着脱することが可能である。
【００７７】
なお、係合手段９９は係合凹部１０１を装着片９４に、係合突部１０２を装着部９５に夫々配置してもよい。また係合手段９９は他の構成のものでもよい。
【００７８】
図２２、図２３は本発明の第９の実施形態を例示する。この実施形態では、裏部材４９の周壁部５２の外側面に偏平箱状の挿入凹部１０３を有する装着部９５を設け、保護部材６８の装着片９４を装着部９５の挿入凹部１０３に挿入して係合手段９９により着脱自在に係止するようにしている。
【００７９】
係合手段９９は装着部９５の側壁に底部側から前側へと凹入して形成された係合凹部１０１と、保護部材６８の装着片９４に形成された係合突部１０２とを有する。係合突部１０２は装着片９４の前端側から後方側へと一対のスリットを入れることにより、そのスリット間に弾性爪状に形成されている。他の構成は第１〜第７の実施形態と同様である。
【００８０】
この場合には、保護部材６８の装着片９４を装着部９５の挿入凹部１０３に挿入すると、挿入凹部１０３の側壁に押圧されて弾性変形して係合凹部１０１に係合する。これによって保護部材６８を裏部材４９の周壁部５２に容易に装着できる。保護部材６８を取り外す場合は、装着部９５の側壁の外側から係合凹部１０１を経て係合突部１０２を押圧すれば、係合突部１０２が係合凹部１０１から離脱するので、保護部材６８の装着片９４を装着部９５の挿入凹部１０３から抜き取ることができる。
【００８１】
なお、保護部材６８の裏部材４９に対する装着構造、係合構造は、この実施形態以外のものを採用してもよい。
【００８２】
図２４〜図２６は本発明の第１０の実施形態を例示する。この実施形態では、遊技盤１０の前面に装着された前飾り部材５４と保護部材６８とに一体にレール部６４ａ，６４ｂを設け、その各レール部６４ａ，６４ｂにより外レール６４を構成している。
【００８３】
遊技盤１０には図２４、図２５に示すように、ガイドレール５３の外側の上下に前飾り部材５４が装着され、この前飾り部材５４の遊技領域２７側に円弧状のレール部６４ａが一体に形成されている。保護部材６８には図２４、図２６に示すように、支持部６９の外周側の前面に張り出し部６６用のレール部６４ｂが一体に設けられ、このレール部６４ｂの両端が前飾り部材５４のレール部６４ａに接続部１０４を介して着脱自在に接続されている。レール部６４ａ，６４ｂには、遊技球と接触する案内面に耐摩耗層をコーティングしてもよいし、金属板を装着してもよい。
【００８４】
接続部１０４は前飾り部材５４のレール部６４ａに形成された接続凹部１０５と、保護部材６８のレール部６４ｂの両端に形成され且つ接続凹部１０５に前側から挿入された接続突部１０６とを有する。保護部材６８のレール部６４ｂの両端側は遊技盤１０の前面に当接又は近接している。なお、接続凹部１０５、接続突部１０６は反対側のレール部６４ａ，６４ｂに設けてもよいし、他の構造でもよい。
【００８５】
保護部材６８は装着片９４が裏部材４９の周壁部５２に形成された装着部９５と遊技盤１０との間に挿入されている。なお、保護部材６８は遊技盤１０及び／又は裏部材４９に着脱自在であればよい。他の構成は第１〜第８の実施形態と同様である。
【００８６】
このように前飾り部材５４にレール部６４ａを一体に設ける場合には、保護部材６８に張り出し部６６側のレール部６４ｂを一体に設け、その各レール部６４ａ，６４ｂにより外レール６４を構成してもよい。
【００８７】
以上、本発明の各実施形態について詳述したが、本発明はこれらの実施形態に限定されるものではなく、本発明の趣旨を逸脱しない範囲で種々の変更が可能である。例えば各実施形態では、透明式の遊技盤１０と、この遊技盤１０を裏側から補強する裏部材４９とを備えたものを例示し、その遊技盤１０と裏部材４９の周壁部５２との間に保護部材６８を装着したり、裏部材４９の周壁部５２に保護部材６８を装着したりしているが、遊技盤１０に直接保護部材６８を装着するか、又は裏部材４９以外のものを介して遊技盤１０に間接的に保護部材６８を装着してもよい。裏部材４９は遊技盤１０の補強用である必要はなく、遊技盤１０の裏側に各種の遊技部品を装着するためのものでもよい。
【００８８】
支持部６９は外レール６４の張り出し部６６の一部を裏側から保護できれば十分であり、保護対象である張り出し部６６に接触して保護するのが通例であるが、張り出し部６６を保護できる構造であれば必ずしも張り出し部６６に接触する必要はない。
【００８９】
保護部材６８は球案内通路６２の一部を構成する球案内面６９ａを有するものが一般的ではある。しかし、張り出し部６６の張り出し量が小さい場合には遊技球を案内する必要がないので、張り出し部６６を支持する支持部６９は、前後に貫通する通孔を形成するか、複数のリブを組み合わせた構成を採用する等、任意の形状を採用することが可能である。更にパチンコ機１に限らず、アレンジボール機等の各種の弾球遊技機においても同様に実施可能である。
【符号の説明】
【００９０】
２  外枠
４  前枠
７  遊技盤装着部
８  支持板
１０  遊技盤
１１  発射手段
１３  ガラス扉
１４  前面扉
２７  遊技領域
４４〜４６  切り欠き部
４９  裏部材
５２  周壁部
５３  ガイドレール
６２  球案内通路
６３  内レール
６４  外レール
６６  張り出し部
６７  側縁
６８  保護部材
６９  支持部
６９ａ  球案内面
７０  規制手段
７３  膨らみ部
【図１】
2014226309.tif 000003
【図２】
2014226309.tif 000004
【図３】
2014226309.tif 000005
【図４】
2014226309.tif 000006
【図５】
2014226309.tif 000007
【図６】
2014226309.tif 000008
【図７】
2014226309.tif 000009
【図８】
2014226309.tif 000010
【図９】
2014226309.tif 000011
【図１０】
2014226309.tif 000012
【図１１】
2014226309.tif 000013
【図１２】
2014226309.tif 000014
【図１３】
2014226309.tif 000015
【図１４】
2014226309.tif 000016
【図１５】
2014226309.tif 000017
【図１６】
2014226309.tif 000018
【図１７】
2014226309.tif 000019
【図１８】
2014226309.tif 000020
【図１９】
2014226309.tif 000021
【図２０】
2014226309.tif 000022
【図２１】
2014226309.tif 000023
【図２２】
2014226309.tif 000024
【図２３】
2014226309.tif 000025
【図２４】
2014226309.tif 000026
【図２５】
2014226309.tif 000027
【図２６】
2014226309.tif 000028